(57)【要約】【課題】建物内が安全でないことを高い確率で建物に入ろうとする人に気付かせる。【解決手段】報知システムは、建物内への侵入、建物内におけるガス漏れ、漏電、漏水及び火災、及び侵入、ガス漏れ、漏電、漏水及び火災各々のおそれのうち少なくともいずれか１つを検知するセキュリティセンサ部１２と、セキュリティセンサ部１２による検知結果に基づいて、建物内が安全であるか否かを判断する安全判断部３９と、建物内が安全でないと安全判断部３９が判断した場合に、建物に入ろうとする人に対して建物に入ることを抑止する入室抑止部１４とを備える。【選択図】図１
2009237803.tif 000002
【特許請求の範囲】
【請求項１】
建物内への侵入、建物内におけるガス漏れ、漏電、漏水及び火災、及び前記侵入、前記ガス漏れ、前記漏電、前記漏水及び前記火災各々のおそれのうち少なくともいずれか１つを検知するセキュリティセンサ部と、
前記セキュリティセンサ部による検知結果に基づいて、建物内が安全であるか否かを判断する安全判断部と、
建物内が安全でないと前記安全判断部が判断した場合に、前記建物に入ろうとする人に対して前記建物に入ることを抑止する入室抑止部と
を備えることを特徴とする報知システム。
【請求項２】
建物内が安全でないと前記安全判断部が判断した場合に、前記セキュリティセンサ部による検知結果に基づいて、前記建物に入ることについての安全レベルを判定するレベル判断部を更に備え、
前記入室抑止部は、前記レベル判断部により判定された安全レベルに応じて異なる方法によって前記人に対して前記建物に入ることを抑止することを特徴とする請求項１に記載の報知システム。
【請求項３】
前記入室抑止部は、前記レベル判断部により判定された安全レベルが基準レベル未満である場合に、前記建物に入ることを防止する入室防止部を備えることを特徴とする請求項２に記載の報知システム。
【請求項４】
前記入室抑止部は、前記レベル判断部により判定された安全レベルが基準レベル以上である場合に、前記建物に入ろうとする人に対して注意を喚起する入室注意喚起部を備えることを特徴とする請求項２又は３に記載の報知システム。
【請求項５】
前記入室防止部は、前記建物内に人が入る際に通過する戸の鍵穴を遮蔽する鍵穴遮蔽部を備えることを特徴とする請求項３記載の報知システム。
【発明の詳細な説明】
【技術分野】
【０００１】
本発明は、建物に入ろうとする人に対して建物内が安全でないことを報知する報知システムに関する。
【背景技術】
【０００２】
従来、人体がドアノブなどに接触、或いは接近したことをドアノブに取り付けられた検出部が検出して警報を行う小型の警報装置が知られている（特許文献１参照）。特許文献１では、ドアノブに人体が接触、或いは接近した時刻を記憶し、その後記憶している時刻を読み出して液晶表示部に表示させることにより、後日、何時不審な人物が近づいたかを確認できるようにして防犯に役立てている。
【特許文献１】特開平０８−１４７５７６号公報
【発明の開示】
【発明が解決しようとする課題】
【０００３】
しかし、特許文献１の小型警報装置では、ユーザが読み出しキーを操作しなければ液晶表示部に人体を検知した日付及び時刻を表示させることができないので、ユーザのキー操作が無ければドアノブに人物が近づいたことをユーザに気付かせることができない。
【０００４】
また、液晶表示など光による報知は、ユーザがこれを見落としてしまうと報知内容を気付かせることができず、高い確率で家人に報知できる手段とは言えない。
【０００５】
本発明は、上記問題点を解決するために成されたものであり、その目的は、建物内が安全でないことを高い確率で建物に入ろうとする人に気付かせることができる報知システムを提供することである。
【課題を解決するための手段】
【０００６】
本発明の特徴は、建物内への侵入、建物内におけるガス漏れ、漏電、漏水及び火災、及び侵入、ガス漏れ、漏電、漏水及び火災各々のおそれのうち少なくともいずれか１つを検知するセキュリティセンサ部と、セキュリティセンサ部による検知結果に基づいて、建物内が安全であるか否かを判断する安全判断部と、建物内が安全でないと安全判断部が判断した場合に、建物に入ろうとする人に対して建物に入ることを抑止する入室抑止部とを備える報知システムであることを要旨とする。
【０００７】
本発明の特徴によれば、建物内が安全でないと判断された場合に、建物に入ろうとする人に対して建物に入ることを抑止することにより、建物に入ろうとする人は入室抑止部によって建物に入ることを抑止されるので、報知システムは、建物内が安全な状態でないことを高い確率で建物に入ろうとする人に気付かせることができる。また、同時に、建物内が安全であれば入室は抑制されないので、ユーザに対して安全を確認するために動作を強いることがない。よって、ユーザは、入室時毎に安全確認行動をすることなく、建物内の安全を確認して安心して入室することができる。
【０００８】
本発明の特徴において、報知システムは、建物内が安全でないと安全判断部が判断した場合に、セキュリティセンサ部による検知結果に基づいて、建物に入ることについての安全レベルを判定するレベル判断部を更に備え、入室抑止部は、レベル判断部により判定された安全レベルに応じて異なる方法によって人に対して建物に入ることを抑止するようにしてもよい。
【０００９】
これにより、安全レベルに応じて入室抑止部は多様な入室抑止方法を取ることが可能となり、ユーザの安全を確保しつつ、且つユーザに対して過度の緊張を与えずに済む。
【００１０】
本発明の特徴において、入室抑止部は、レベル判断部により判定された安全レベルが基準レベル未満である場合に、建物に入ることを防止する入室防止部を備えていてもよい。
【００１１】
これにより、ユーザは玄関を解錠するなどの通常の行為によって安全性が低い状態の建物の中に入ることが不可能となり、ユーザの安全を確保することができる。
【００１２】
本発明の特徴において、入室抑止部は、レベル判断部により判定された安全レベルが基準レベル以上である場合に、建物に入ろうとする人に対して注意を喚起する入室注意喚起部を備えていてもよい。
【００１３】
安全レベルが基準レベル以上である場合に軽度の抑制で十分であるため、このような場合は、建物に入ろうとする人に対して注意を喚起することに留めることができるので、ユーザに対して過度の緊張を与えずに済む。なお、まったく安全な場合は、安全・危険を意識することなく、ごく普通に鍵を開けて入室することができる。
【００１４】
本発明の特徴において、入室防止部は、建物内に人が入る際に通過する戸の鍵穴を遮蔽する鍵穴遮蔽部を備えていてもよい。
【００１５】
安全レベルが基準レベル未満である場合、人が入室する際に通過する戸の鍵穴が遮蔽されるので、人が入室する際に通過する戸を解錠することが不可能となり、建物に入ることが防止される。
【発明の効果】
【００１６】
本発明の報知システムによれば、建物内が安全でないことを高い確率で建物に入ろうとする人に気付かせることができる。
【発明を実施するための最良の形態】
【００１７】
以下図面を参照して、本発明の実施形態を説明する。図面の記載において同一部分には同一符号を付して説明を省略する。
【００１８】
先ず、図１（ａ）を参照して、本発明の実施の形態に係わる報知システムの概略構成について説明する。本発明の実施の形態に係わる報知システムは、建物に入ろうとする人に対して建物内が安全でないことを報知するシステムである。
【００１９】
ここで、「建物内が安全でないこと」には、建物内への侵入、建物内におけるガス漏れ及び火災及び侵入、ガス漏れ、火災各々のおそれがあることが含まれる。「侵入のおそれ」には、建物の開口部に設置された窓や戸の解錠及び開口、建物の開口部への接近及び接触が含まれる。建物の開口部には、建物の中に侵入する時に侵入口となる可能性のある建物の開口部（出入り口や窓、排気／吸気口などを含む）や、建物の敷地内で侵入時の経路上に設置された障害物（塀や囲い）の開口部（門、勝手口などを含む）が含まれる。また、建物には、住宅、倉庫、オフィスビルなどを含まれるが、実施の形態では、住宅を例に取り、説明する。また、「建物に入ろうとする人」とは、悪意で建物内に侵入する者を除く、善意で建物に入室する人を示し、住宅の場合は帰宅する家人などが含まれる。
【００２０】
図１（ａ）に示すように、報知システムは、システム全体を制御する制御部１１と、住宅内への侵入、住宅内におけるガス漏れ、漏電、漏水及び火災、及び侵入、ガス漏れ、漏電、漏水及び火災各々のおそれを検知するセキュリティセンサ部１２と、住宅内が安全でないと制御部１１（安全判断部）が判断した場合に、住宅に入ろうとする人に対して住宅に入ることを抑止する入室抑止部１４と、報知システムを利用する人（ユーザ）からのコマンドの入力を受け付ける操作部１５と、システム外部との間で通信を行うための通信部１８とを備える。
【００２１】
制御部１１は、ＣＰＵ２１（Central Processing Unit）、作業用のデータ格納領域を提供するＲＡＭ２２（Random Access Memory）、ＲＯＭ２３（Read Only Memory）、記憶部２４及び配線路２５を有している。ＲＯＭ２３は報知システム全体を制御するためのシステムプログラムデータの他、制御部１１が実行可能なプログラムデータを格納する。ＣＰＵ２１は、報知システムの電源がオンされると、ＲＯＭ２３からシステムプログラムデータを読み出してシステムを起動させ、報知システム全体を制御する。配線路２５は、ＲＯＭ２３、ＣＰＵ２１、ＲＡＭ２２及び記憶部２４に接続され、各種の制御信号及びデータ信号の送信路を形成する。
【００２２】
配線路２５には、セキュリティセンサ部１２が接続されている。セキュリティセンサ部１２は、住宅内への侵入などの犯罪行為及びそのおそれを検出する各種の防犯センサからなる防犯センサ部３５と、火災、ガス漏れ、漏電、漏水などの災害の発生及びそのおそれを検出する各種の防災センサからなる防災センサ部３６とを有する。セキュリティセンサ部１２に属する各種のセンサはそれぞれ住宅の内部及び周辺に設置されている。
【００２３】
例えば、防犯センサは、住宅の開口部及びその周辺に設置され、窓や扉の施錠状態を検出する施錠センサや窓や扉の開閉動作を検出する開閉センサ、窓や扉への接触や接近を検出する接触センサ及び人感センサなどを含む。また、防災センサは、台所、洗面所、浴室などのガスや水道を使用する部屋や電気を使用する部屋の床、壁又は天井、或いはガス、電気、水道の配管、配線或いはメータなどに設置され、例えば、住宅内におけるガス漏れ及びそのおそれを検知するガス漏れ検知器、漏電及びそのおそれを検知する漏電センサ、漏水及びそのおそれを検知する漏水センサ、及び火災を検知する火災検知器などを含む。
【００２４】
配線路２５には、住宅に入ろうとする人に対して住宅に入ることを抑止する入室抑止部１４が接続されている。入室抑止部１４は、人が住宅に入ることを防止する入室防止部３７と、住宅に入ろうとする人に住宅に入ることに対して注意を喚起する入室注意喚起部３８とを備える。換言すれば、「住宅に入ろうとする人に対して住宅に入ることを抑止する」ことには、人が住宅に入ることを防止すること、及び住宅に入ろうとする人に住宅に入ることに対して注意を喚起することが含まれる。
【００２５】
入室防止部３７は、人が住宅に入ろうとする際に通過する戸（玄関扉）の鍵穴を遮蔽する鍵穴遮蔽部５１と、人が住宅に入ろうとする際に通過する戸（玄関扉）に設置された錠前の回転を防止する錠前回転防止部５２とを有する。玄関扉に設けられた錠がシリンダー錠など鍵を錠前の鍵穴に差し込んで施錠／解錠を行うタイプである場合、戸（玄関扉）の鍵穴を遮蔽したり、戸（玄関扉）に設置された錠前の回転を防止するなど、通常の方法で住宅内に入る際に行う動作を出来ないようにすることによって、入室防止部３７は人が住宅に入ることを防止する。なお、錠前回転防止部５２は、玄関扉を解錠する方向の回転のみを防止し、玄関扉を施錠する方向の回転は許可しても構わない。
【００２６】
入室注意喚起部３８は、住宅に入ろうとする人に対して住宅内が安全でないことを人の視覚を通じて報知するためのＬＥＤ表示部５３と、住宅に入ろうとする人に対して住宅内が安全でないことを人の聴覚を通じて報知するためのスピーカ５４とを備える。具体的には、ＬＥＤ表示部５３の画面に住宅内が安全でないことを光で表示し、或いはスピーカ５４から住宅内が安全でない旨の音声を出力することによって、住宅に入ろうとする人に住宅に入ることに対して注意を喚起する。
【００２７】
配線路２５には、操作部１５が接続されている。操作部１５には、報知システムの電源スイッチや操作パネルなどを設けられ、電源のオン／オフ制御や、各種の動作モードや制御モードの選択を行うことができる。
【００２８】
配線路２５には、通信部１８が接続されている。通信部１８は、ＬＡＮ（Local Area Network）などの通信回線に接続され、外部のコンピュータやルータ、電話回線、インターネットなどに接続することができる。
【００２９】
次に、図１（ｂ）を参照して、図１（ａ）のＣＰＵ２１が果たす主要な機能を説明する。ＣＰＵ２１は、セキュリティセンサ部１２による検知結果に基づいて、住宅内が安全であるか否かを判断する安全判断部３９としての機能と、住宅内が安全でないと安全判断部３９が判断した場合に、セキュリティセンサ部１２による検知結果に基づいて、住宅に入ることについての安全レベルを判定するレベル判断部４０としての機能とを備える。これらの機能は、ＲＯＭ２３からシステムプログラムデータを読み出してシステムを起動させ、当該システムプログラムにしたがってＣＰＵ２１が実行する演算処理動作として実現される。
【００３０】
安全判断部３９は、セキュリティセンサ部１２に属する各種のセンサ各々から出力される検知結果信号を配線路を介して受信し、検知結果信号から住宅内が安全であるか否かを判断し、安全判断結果信号を出力する。入室抑止部１４は、安全判断結果信号を受信し、住宅内が安全でないと安全判断部３９が判断した場合に、住宅に入ろうとする人に対して住宅に入ることを抑止する。
【００３１】
前述したように、入室抑止の方法は入室防止（５１、５２）や入室注意喚起（５３、５４）の様々な方法がある。予め操作部１５がユーザの入力操作を受け付けていなければ、システム製造時に設定されたデフォルトで定めされた方法に従って入室抑止を行えばよい。一方、予め操作部１５がユーザの入力操作を受け付けている場合、ユーザにより選択された方法によって、入室抑止を実行すればよい。入室抑止は、例えば鍵穴遮蔽やＬＥＤ表示などの単一の方法で行っても良いし、例えば鍵穴遮蔽とＬＥＤ表示など複数の方法を組み合わせて行っても構わない。
【００３２】
なお、入室注意喚起部３８は、入室抑止手段の一つであるが、入室防止部３７に比べて入室を抑止する確率や人への印象度が低い軽度の入室抑止手段であり、住宅内の安全性がそれ程低くない場合などにおいて軽微な危険を報知する手段として有効である。これに対して、入室防止部３７は、入室注意喚起部３８に比べて重度の入室抑止手段であり、住宅内の安全性が非常に低い場合などにおいて重度の危険を報知する手段として有効である。
【００３３】
そこで、住宅内が安全でないと安全判断部３９が判断した場合に、レベル判断部４０は、セキュリティセンサ部１２による検知結果に基づいて、例えば図１２の安全レベル規定表にしたがって、住宅に入ることについての安全レベルを判定し、入室抑止部１４は、レベル判断部４０により判定された安全レベルに応じて異なる方法によって人に対して住宅に入ることを抑止するようしてもよい。これにより、安全レベルに応じて入室抑止部１４は多様な入室抑止方法を取ることが可能となり、住宅に入ろうとする人の安全を確保しつつ、且つ住宅に入ろうとする人に対して過度の緊張を与えずに済む。
【００３４】
例えば、レベル判断部４０により判定された安全レベルが基準レベル未満である場合、重度の危険性があるので、入室防止部３７を動作させて人が住宅に入ることを防止する。これにより、人が住宅に入ることを高い確率で阻止してユーザの安全を確保することができる。
【００３５】
一方、レベル判断部４０により判定された安全レベルが基準レベル以上である場合、軽度の危険性があり、軽度の抑制で十分であるので、入室注意喚起部３８を動作させて住宅に入ろうとする人に対して注意を喚起する。これにより、住宅に入ろうとする人に対して注意を喚起することに留めることができるので、ユーザに対して過度の緊張を与えずに済む。
【００３６】
図１２に示す安全レベル規定表は、レベル判断部４０が安全レベルを判定する際に参照する情報の一例であって、セキュリティセンサ部１２が備えるセンサ各々について、レベル判断部４０が判定する安全レベルが規定されている。図１２に示すデータは記憶部２４に記憶されている。安全レベルは例えば１〜５の５段階で評価され、図１２に示す数値は、住宅が安全でないこと（不審者の侵入、火災、ガス漏れなど）を各センサが検知した時の安全レベルを示している。
【００３７】
例えば、住宅の窓や戸に設置された開閉センサが窓や戸の開口を検知した時の安全レベルは２であり、施錠センサが窓や戸の解錠を検知した時の安全レベルは３である。図１２の例によれば、窓や戸の開口を窓や戸の解錠よりも危険な状態であるという判断が可能となる。同様にして、戸外の敷地内に感度領域を有する人感センサが人を検知した時の安全レベルは３であるが、戸内に感度領域を有する人感センサが人を検知した時の安全レベルは１であり、戸内への侵入を戸外への侵入より危険な状態であると判断可能である。同様に、防災センサ部３６が備える火災検知器、ガス漏れ検知器、漏電センサ及び漏水センサについても、それぞれ、１、１、３及び４の安全レベルが規定されている。
【００３８】
なお、複数のセンサが住宅の危険をそれぞれ検知している場合、図１２に規定する当該複数のセンサの安全レベルのうち最も低いものを採用する。例えば、漏水センサ及び開閉センサがそれぞれ漏水及び窓の開口を検知した場合、漏水センサの安全レベル（４）より開閉センサの安全レベル（２）の方が低いので、低い方（２）を採用する。また、これらのセンサ総てが住宅の危険を検知していない時、レベル判断部４０は最も高い安全レベルである「５」を判定しても構わない。
【００３９】
そして、上記の「基準レベル」を例えば「３」に設定すれば、安全レベル１〜２に判定されれば、入室防止部３７を動作させ、安全レベル３〜４に判定されれば、入室注意喚起部３８を動作させればよい。
【００４０】
次に、図２（ａ）及び図２（ｂ）を参照して、住宅に入ろうとする人が通過する戸（玄関扉４２）の周辺における報知システムの配置例を説明する。図２（ａ）は玄関扉４２の周辺の上面図であり、図２（ｂ）は図２（ａ）の玄関扉４２を戸外Ｏｕｔ側から見た正面図である。
【００４１】
玄関扉４２は、蝶番で止められた部分を軸に弧を描いて開閉し、ドアノブ４３などを持って戸外Ｏｕｔへ開けることができる外開き扉である。蝶番で止められた端と反対側の端にはシリンダー錠４１が備えられ、戸外Ｏｕｔ及び戸内Ｉｎの両側から施錠／解錠を行うことができる。シリンダー錠４１の戸外Ｏｕｔ側には鍵を差し込むための鍵穴が設けられている。
【００４２】
ドアノブ４３の上部には複数のＬＥＤランプを備えるＬＥＤ表示部５３が埋め込まれている。シリンダー錠４１が設置されている端に面するドア枠部分には、玄関扉の開閉を検知する玄関開センサ３２が設置されている。また、戸内Ｉｎの玄関扉周辺を検出領域ＳＡ3とする戸内側人感センサ３３と、戸外Ｏｕｔの玄関扉周辺を検出領域ＳＡ4とする戸外側人感センサ３４とが設置されている。
【００４３】
玄関開センサ３２、検出領域ＳＡ3に居る人を検知する戸内側人感センサ３３及び検出領域ＳＡ4に居る人を検知する戸外側人感センサ３４は、それぞれ、玄関扉４２からの侵入或いはそのおそれ（玄関扉４２への接近）を検知する防犯センサ部３５に属するセンサである。また同時に、戸外側人感センサ３４は、住宅に入ろうとする人及び善意の訪問者を検知するセンサとしても機能する。その他、図示は省略するが、シリンダー錠４１の解錠、及びドアノブ４３やシリンダー錠４１への人体又は金属の接触又は接近を検知する防犯センサが玄関扉４２に備えられている。
【００４４】
ドア枠又は玄関扉４２周辺の壁の内部に入室防止部３７が埋め込まれ、戸内Ｉｎには制御部１１が備えられている。なお、図示は省略するが、シリンダー錠４１は入室防止部３７に接続され、入室防止部３７、ＬＥＤ表示部５３、玄関開センサ３２、戸内側人感センサ３３及び戸外側人感センサ３４、その他の防犯センサは、制御部１１に接続されている。また、玄関扉４２の周辺以外に住宅内に設置された防犯センサ部３５及び防災センサ部３６に属する各種のセンサは、玄関扉周辺の制御部１１に接続されている。
【００４５】
なお、図２（ａ）及び図２（ｂ）に示した報知システムの配置及び接続方法は一例であり、報知システムは図１の機能的な構成を実現するための他の配置及び接続方法であっても構わない。
【００４６】
次に、図３を参照して図２（ｂ）のＬＥＤ表示部５３の詳細な構成例を説明する。ＬＥＤ表示部５３は、３つのＬＥＤ発光部（第１のＬＥＤ発光部４５、第２のＬＥＤ発光部４６、第３のＬＥＤ発光部４７）を備える。各ＬＥＤ発光部は、例えば緑及び赤の２以上の色で点灯或いは点滅などの２以上の発光状態で発光可能である。
【００４７】
第１のＬＥＤ発光部４５は、住宅の開口部に設置された戸や窓の施錠状態を示し、例えば、少なくとも１以上の戸又は窓が解錠されている状態において赤色点灯し、総ての戸や窓が施錠されていれば緑色点灯する。
【００４８】
第２のＬＥＤ発光部４６は、住宅への来客状況を示し、留守中に来客が有れば緑色点滅し、来客が無ければ緑色点灯する。更に、例えば、玄関や勝手口など住宅の通常の出入り口以外の開口部が解錠或いは開口され、住宅内の人感センサが人を検出した場合など、通常ではない方法で住宅に人が侵入したおそれがある場合、第２のＬＥＤ発光部４６は赤色点滅して、現在、侵入者が住宅内に居るおそれを示して危険性を報知する。緑色点滅によって留守中の来客を報知することにより、住宅に入ろうとする人に過度の不安を与えずに済む。
【００４９】
また、第３のＬＥＤ発光部４７は、防災センサ部３６に属する防災センサが、火災、ガス漏れ、漏電、漏水などの災害の発生及びそのおそれを検出した場合、赤色点滅して住宅設備の異常状態を報知する。一方、設備の異常を検出しない場合、緑色点灯する。
【００５０】
ＬＥＤ表示部５３の代わりに、図４（ａ）或いは図４（ｂ）に示すような液晶表示部７３、７４を用いても構わない。図４（ａ）の液晶表示部７３の画面には、「施錠状態」、「ガス」、「電気」及び「水道」の各項目が表示され、総ての項目について異常が無ければ、画面全体が緑色点灯する。少なくともいずれか１つの項目に異常があれば、画面全体が赤色点灯し、異常がある項目の下に、例えば「侵入者あり」、「ガス漏れ  台所」などの異常の具体的な内容を表示する。画面全体が赤色点灯することにより、住宅内が安全ではないことを高い確率で人に気付かせることができ、更に、異常の具体的な内容を気付かせることができる。
【００５１】
図４（ｂ）の液晶表示部７４の画面には、更に、「施錠状態」、「ガス」、「電気」及び「水道」の各項目の状態を個別に表示する表示枠６１、６２、６３、６４が設けられている。総ての項目について異常が無ければ、画面全体及び総ての表示枠６１、６２、６３、６４が緑色点灯する。少なくともいずれか１つの項目に異常があれば、画面全体が赤色点灯し、更に、異常が有る項目の表示枠６１、６２、６３、６４が赤色点滅し、異常がある項目の下に、例えば「侵入者あり」、「ガス漏れ有り」などの異常の具体的な内容を表示する。異常が無い項目は緑色点灯する。
【００５２】
ＬＥＤ表示部５３は、図２（ｂ）の配置例の他に、図５又は図６に示すように配置してもよい。すなわち、図５に示すように、ドアノブ４３ｂ及びシリンダー錠４１ｂを玄関扉４２に備え付け、ＬＥＤ表示部５３ｂをその周辺のドア枠又は壁上に備え付けてもよい。或いは、図６に示すように、ドアノブ４３ｂ及びシリンダー錠４１ｂを玄関扉４２の開口端側に備え付け、ＬＥＤ表示部５３ｃを玄関扉４２の中央部に備え付けてもよい。なお、ＬＥＤ表示部５３ｃの設置位置は、中央部には限らず、上下左右の周辺部であってもよい。
【００５３】
また、図７に示すように、門塀６５に、ＬＥＤ表示部５３ｄが備え付けられていてもよい。これによれば、住宅の敷地内に入る前に、住宅内が安全であること或いは安全でないことを報知することができる。なお、門塀６５には、住宅の敷地の境界のうち道路に面する箇所に設置され、表札７１ａや新聞受７２が備え付けられている。
【００５４】
更に、図８に示すように、エントランスポール６６に、ＬＥＤ表示部５３ｅが備え付けられていてもよい。これによれば、住宅の敷地内に入る前に、住宅内が安全であること或いは安全でないことを報知することができる。エントランスポール６６は、前述した隣接道路から住宅の出入り口までを繋ぐ敷地内の経路上に設置され、表札７１ｂ、インターホン子機、ライトが備え付けられている。なお、エントランスポール６６の設置位置は、上記の経路上に限らず、住宅の敷地の境界であってもよい。
（第１の動作例）
次に、図１（ａ）及び図１（ｂ）に示した報知システムが、住宅に入ろうとする人に対して住宅内が安全でないことを報知する動作手順の一例（第１の動作例）を説明する。第１の動作例では、セキュリティセンサ部１２による検知結果に基づいて住宅内が安全であるか否かを判断して、入室を許可又は抑止する動作を説明する。具体的には、以下の通りである。
【００５５】
（イ）ユーザ操作により報知システムの電源がオンされると、ＣＰＵ２１は、ＲＯＭ２３からシステムプログラムデータを読み出してシステムを起動させ、報知システム全体の制御状態に入る。図９のフローチャートは、この状態からスタートする。
【００５６】
（ロ）先ず、Ｓ０１段階において、セキュリティセンサ部１２に属する各種のセンサは、住宅内への侵入及びそのおそれ、住宅内におけるガス漏れ、漏電、漏水及び火災、及びこれらのおそれのセンシングを開始する。
【００５７】
（ハ）その後、セキュリティセンサ部１２に属するセンサが上記のいずれかを検知した場合（Ｓ０３でＹＥＳ）、Ｓ０５段階に進み、検知結果を制御部１１内の記憶部２４に記憶して、Ｓ０７段階に進む。検知しない場合（Ｓ０３でＮＯ）Ｓ０７段階に直接進む。
【００５８】
（ニ）Ｓ０７段階において、ＣＰＵ２１（安全判断部３９）は、記憶部２４に記憶されている検知結果に基づいて、住宅内が安全であるか否かを判断する。住宅内が安全であると判断した場合（Ｓ０７でＹＥＳ）Ｓ０９段階に進み、ＣＰＵ２１は内部において第１フラグを立てない。その後Ｓ１３段階に進む。一方、住宅内が安全でないと判断した場合（Ｓ０７でＮＯ）Ｓ１１段階に進み、ＣＰＵ２１は第１フラグを立てる。その後Ｓ１３段階に進む。
【００５９】
（ホ）Ｓ１３段階において、セキュリティセンサ部１２に属する各種のセンサの検知結果に基づいて、住宅に入ろうとする人が居るか否かを判断する。具体的には、図２（ａ）の戸外側人感センサ３４が人を検知すれば、玄関扉４２の前に人が居ることになり、住宅に入ろうとする人が居ると判断することが出来る。或いは、ドアノブ４３やシリンダー錠４１への人体又は金属の接触又は接近を検知した場合に、住宅に入ろうとする人が居ると判断しても構わない。
【００６０】
（へ）住宅に入ろうとする人が居る場合（Ｓ１３でＹＥＳ）、Ｓ１５段階に進み、住宅に入ろうとする人が居ない場合（Ｓ１３でＮＯ）、Ｓ０３段階に戻り、センシング、検出結果の記憶、安全判断を継続して行い、住宅内の安全状態をリアルタイムに第１フラグの状態によって表す。
【００６１】
（ト）Ｓ１５段階において、第１フラグの状態を判断する。第１フラグが立っている場合（Ｓ１５でＹＥＳ）住宅内が安全ではないので、Ｓ１７段階に進み、入室抑止部１４は、入室を防止し、入室注意を喚起することにより、住宅に入ろうとする人に対して住宅に入ることを抑止する。具体的な抑止方法は、前述したように、デフォルト設定或いはユーザによる設定のいずれかに従って実施すればよい。
【００６２】
（チ）一方、第１フラグが立っていない場合（Ｓ１５でＮＯ）住宅内は安全であるので、Ｓ１９段階に進み、入室抑止部１４は、住宅に入ろうとする人に対して住宅に入ることを抑止しない。具体的には、入室を防止せず、且つ入室注意を喚起せず、入室を許可する。Ｓ１７及びＳ１９段階を実施して図９のフローチャートは終了する。
【００６３】
以上説明したように、本発明の実施の形態によれば、以下の作用効果が得られる。
【００６４】
住宅内が安全でないと判断された場合に（Ｓ０７でＮＯ）、住宅に入ろうとする人に対して住宅に入ることを抑止する（Ｓ１７）ことにより、住宅に入ろうとする人は入室抑止部１４によって住宅に入ることを抑止されるので、報知システムは、住宅内が安全な状態でないことを高い確率で住宅に入ろうとする人に気付かせることができる。また、同時に、住宅内が安全であれば入室は抑止されないので、ユーザに対して安全を確認するために動作を強いることない。よって、ユーザは、入室時毎に安全確認行動をすることなく、住宅内の安全を確認して安心して入室することができる。このように、建物に入ろうとする人に対して建物内が安全でないことを報知することは、同時に、建物内が安全であることをユーザに報知することであり、ユーザは余計な心配をすることなくなる。
（第２の動作例）
次に、図１０（ａ）及び図１０（ｂ）のフローチャートを参照して、住宅内が安全であるか否かを判断し、且つ住宅に入ることについての安全レベルを判定して、安全レベルに応じて異なる方法によって人に対して住宅に入ることを抑止する第２の動作例について説明する。
【００６５】
第２の動作例を示すフローチャートは、図９のフローチャートのうち、点線で囲んだＡ及びＢの部分を、図１０（ａ）及び図１０（ｂ）のフローチャートでそれぞれ置換えたものである。よって、ここでは図１０（ａ）及び図１０（ｂ）のフローチャートを中心に説明する。
【００６６】
（い）住宅内が安全でないと判断した場合（図９のＳ０７でＮＯ）Ｓ１１段階に進み、ＣＰＵ２１は第１フラグを立て、その後、Ｓ１１１段階に進み、ＣＰＵ２１（レベル判断部４０）は、セキュリティセンサ部１２による検知結果に基づいて、例えば図１２の安全レベル規定表にしたがって、住宅に入ることについての安全レベルを判定する。
【００６７】
（ろ）判定された安全レベルが基準レベル未満である場合（Ｓ１１３でＹＥＳ）、Ｓ１１７段階に進み、ＣＰＵ２１は内部に第２フラグを立てる。一方、判定された安全レベルが基準レベル以上である場合（Ｓ１１３でＮＯ）、Ｓ１１５段階に進み、ＣＰＵ２１は第２フラグを立てない。Ｓ１１５及びＳ１１７段階の後、図９のＳ１３段階へ進む。
【００６８】
（は）第１フラグが立っている場合（Ｓ１５でＹＥＳ）住宅内が安全ではないと判断されているため、Ｓ１７１段階に進み、ＣＰＵ２１は、第２フラグの状態を判断する。第２フラグが立っている場合（Ｓ１７１でＹＥＳ）、重度の危険性があるので、Ｓ１７５段階に進み、入室防止部３７を動作させて人が住宅に入ることを防止する。これにより、人が住宅に入ることを高い確率で阻止してユーザの安全を確保することができる。
【００６９】
（に）一方、第２フラグが立っていない場合（Ｓ１７１でＮＯ）、軽度の危険性があり、軽度の抑止で十分であるので、入室注意喚起部３８を動作させて住宅に入ろうとする人に対して注意を喚起する。これにより、住宅に入ろうとする人に対して注意を喚起することに留めることができるので、ユーザに対して過度の緊張を与えずに済む。Ｓ１７５及びＳ１７３段階の後、フローチャートは終了する。
【００７０】
このように、第２の動作例では、住宅内が安全でないと判断された場合（Ｓ０７でＮＯ）に、セキュリティセンサ部１２による検知結果に基づいて、住宅に入ることについての安全レベルを判定し（Ｓ１１１）、判定された安全レベルに応じて異なる方法によって人に対して住宅に入ることを抑止する（Ｓ１７３及びＳ１７５）ことができる。これにより、安全レベルに応じて入室抑止部１４は多様な入室抑止方法を取ることが可能となり、ユーザの安全を確保しつつ、且つユーザに対して過度の緊張を与えずに済む。
【００７１】
安全レベルが基準レベル未満である場合に、人が入室する際に通過する戸（玄関扉４２）の鍵穴を遮蔽することにより、人が入室する際に通過する戸を解錠することが不可能となり、住宅に入ることが防止される。よって、住宅内が安全でないことを高い確率で人に気付かせることができ、ユーザの安全を確保することができる。
（第３の動作例）
次に、図１１のフローチャートを参照して、報知システムの第３の動作例を説明する。第１の動作例では、住宅に入ろうとする人を検知する前に安全状態を判断して第１フラグの状態で示していたのに対して、第３の動作例は、住宅に入ろうとする人を検知した後に、安全状態を判断し、当該判断結果に基づいて入室の抑止又は許可を行う。
【００７２】
（１）ユーザ操作により報知システムの電源がオンされると、ＣＰＵ２１は、ＲＯＭ２３からシステムプログラムデータを読み出してシステムを起動させ、報知システム全体の制御状態に入る。図１１のフローチャートは、この状態からスタートする。
【００７３】
（２）Ｓ３１〜Ｓ３５段階は、図９のＳ０１〜Ｓ０５段階と同じ動作であるので、説明を省略する。
【００７４】
（３）Ｓ３７段階に進み、図９のＳ１３段階と同様にして、住宅に入ろうとする人が居るか否かを判断する。住宅に入ろうとする人が居ない場合（Ｓ３７でＮＯ）、Ｓ３３段階に戻り、住宅に入ろうとする人を検出するまで、センシング、検出結果の記憶を繰り返し実施する。
【００７５】
（４）住宅に入ろうとする人が居る場合（Ｓ３７でＹＥＳ）、Ｓ３９段階に進み、ＣＰＵ２１（安全判断部３９）は、記憶部２４に記憶されている検知結果に基づいて、住宅内が安全であるか否かを判断する。
【００７６】
（５）住宅内が安全でないと判断された場合（Ｓ３９でＮＯ）、Ｓ４１段階に進み、入室抑止部１４は、入室を防止し、入室注意を喚起することにより、住宅に入ろうとする人に対して住宅に入ることを抑止する。一方、住宅内が安全であると判断した場合（Ｓ３９でＹＥＳ）Ｓ４３段階に進み、入室抑止部１４は、住宅に入ろうとする人に対して住宅に入ることを抑止しない。具体的には、入室を防止せず、且つ入室注意を喚起せず、入室を許可する。
【００７７】
このように、第３の動作例では、先ず、住宅に入ろうとする人が居るか否かを判断し（Ｓ３７）、住宅に入ろうとする人が居る場合に、住宅内の安全を判断する（Ｓ３９）。よって、フラグ処理などを伴う第１の動作例に比べて、報知システム全体を制御するシステムプログラムの構成を簡略化することができる。
【００７８】
上記のように、本発明は、１つの実施形態及び３つの動作例によって記載したが、この開示の一部をなす論述及び図面はこの発明を限定するものであると理解すべきではない。この開示から当業者には様々な代替実施の形態、実施例及び運用技術が明らかとなろう。
【００７９】
例えば、報知システムが現在時刻を計時する計時部を備えていてもよい。この場合、セキュリティセンサ部１２の各センサの検出結果、安全判断部３９の判断結果、入室抑止部１４の動作内容、操作部１５が受け付けたコマンドの入力内容などを、その検出、動作及び操作が行われた時刻と共に、記憶部２４又は遠隔に設置されたサーバなどに記憶して、報知システムの履歴データを残すようにしてもよい。これにより、例えば、留守時の侵入者に関する情報を収集することができるので、防犯効果を高めることができる。
【００８０】
また、戸内側人感センサ３３及び戸外側人感センサ３４として、カラー又はモノクロの可視光のイメージを検出するカメラを使用してもよい。この場合、カメラの検出結果（映像）を記憶部２４又は遠隔に設置されたサーバなどに記憶しておくことによっても、留守時の侵入者に関する情報を収集することができるので、防犯効果を高めることができる。
【００８１】
また、報知システムは、通信部１８を介して、ユーザの携帯端末から建物のセキュリティ状態の問い合わせを受け付ける機能、侵入者を検知した時などの異常時にユーザの携帯端末にメールを配信する機能などを備えていてもよい。
【００８２】
また、実施の形態では、人が外出する際に通過する玄関扉４２に設置されている錠がシリンダー錠４１である場合について説明したが、もちろん暗証番号や非接触式のＩＣカードなどによって施錠及び解錠を行うことができる電気錠であっても構わない。この場合、テンキー部やＩＣカードのセンサ部（カードリーダ）などを玄関扉４２或いはドア枠周辺の壁に内蔵させ、テンキー部やＩＣカードのセンサ部を遮蔽する、或いはテンキーの押下げ操作やＩＣカードからの電波を受け付けないなどの方法によって解錠を抑止すればよい。
【００８３】
このように、本発明はここでは記載していない様々な実施の形態等を包含するということを理解すべきである。したがって、本発明はこの開示から妥当な特許請求の範囲に係る発明特定事項によってのみ限定されるものである。
【図面の簡単な説明】
【００８４】
【図１】図１（ａ）は本発明の実施の形態に係わる報知システムの構成の概略を示すブロック図であり、図１（ｂ）は図１（ａ）のＣＰＵ２１が果たす主要な機能を示すブロック図である。
【図２】図２（ａ）は住宅に入ろうとする人が通過する戸（玄関扉）の周辺における報知システムの配置例を示す上面図であり、図２（ｂ）は図１（ａ）の戸（玄関扉）を戸外Ｏｕｔ側から見た正面図である。
【図３】図２（ｂ）のＬＥＤ表示部５３の詳細な構成例を示す平面図である。
【図４】図４（ａ）及び図４（ｂ）は、液晶表示部７３、７４の詳細な構成例を示す平面図である。
【図５】図２（ｂ）とは異なるＬＥＤ表示部の他の配置例を示す平面図である（その１）。
【図６】図２（ｂ）とは異なるＬＥＤ表示部の他の配置例を示す平面図である（その２）。
【図７】図２（ｂ）とは異なるＬＥＤ表示部の他の配置例を示す平面図である（その３）。
【図８】図２（ｂ）とは異なるＬＥＤ表示部の他の配置例を示す平面図である（その４）。
【図９】図１（ａ）及び図１（ｂ）に示した報知システムが、住宅に入ろうとする人に対して住宅の戸締まりの状態を報知する動作手順の一例（第１の動作例）を示すフローチャートである。
【図１０】図１０（ａ）及び図１０（ｂ）は、図１（ａ）及び図１（ｂ）に示した報知システムが、住宅に入ろうとする人に対して住宅の戸締まりの状態を報知する動作手順の他の例（第２の動作例）を示すフローチャートである。
【図１１】図１（ａ）及び図１（ｂ）に示した報知システムが、住宅に入ろうとする人に対して住宅の戸締まりの状態を報知する動作手順の他の例（第３の動作例）を示すフローチャートである。
【図１２】レベル判断部４０が安全レベルを判定する際に参照する安全レベル規定表の一例である。
【符号の説明】
【００８５】
１１…制御部
１２…セキュリティセンサ部
１４…入室抑止部
１５…操作部
１８…通信部
２１…ＣＰＵ
２２…ＲＡＭ
２３…ＲＯＭ
２４…記憶部
２５…配線路
３２…玄関開センサ
３３…戸内側人感センサ
３４…戸外側人感センサ
３５…防犯センサ部
３６…防災センサ部
３７…入室防止部
３８…入室注意喚起部
３９…安全判断部
４０…レベル判断部
４１、４１ｂ…シリンダー錠
４２…玄関扉
４３、４３ｂ…ドアノブ
４５…第１のＬＥＤ発光部
４６…第２のＬＥＤ発光部
４７…第３のＬＥＤ発光部
５１…鍵穴遮蔽部
５２…錠前回転防止部
５３、５３ｂ〜５３ｅ…ＬＥＤ表示部
５４…スピーカ
６１〜６４…表示枠
６５…門塀
６６…エントランスポール
７１ａ、７１ｂ…表札
７２…新聞受
７３、７４…液晶表示部
Ｉｎ…戸内
Ｏｕｔ…戸外
【図１】
2009237803.tif 000003
【図２】
2009237803.tif 000004
【図３】
2009237803.tif 000005
【図４】
2009237803.tif 000006
【図５】
2009237803.tif 000007
【図６】
2009237803.tif 000008
【図７】
2009237803.tif 000009
【図８】
2009237803.tif 000010
【図９】
2009237803.tif 000011
【図１０】
2009237803.tif 000012
【図１１】
2009237803.tif 000013
【図１２】
2009237803.tif 000014